(57)【特許請求の範囲】
【請求項１】
天板と地板を有し、これらの間に開閉扉を配置し、該開閉扉の一側端部における上下部は、天板と地板に対して、上下方向に設けた軸を中心として、回転可能に連結した家具において、
前記天板又は／及び地板の開閉扉側の面に案内溝を形成し、開閉扉側の面と反対側面に操作溝を形成し、前記案内溝と前記操作溝を連通させ、
スライド部と雌ねじを備えた調整具を設け、
前記スライド部は、前記案内溝に対して、前記家具の前後、左右方向に移動調整でき、
前記操作溝からボルトを挿通し、ボルトの雄ねじを、前記調整具の雌ねじに螺合させ、
前記スライド部を、前記案内溝に対して、前記家具の前後、左右方向に移動調整することにより、前記開閉扉の上方又は／及び下方に設けた軸を、前記家具の前後、左右方向に移動調整できるようにしたことを特徴とする家具。
【請求項２】
天板と地板を有し、これらの間に開閉扉を配置し、該開閉扉の一側端部における上下部は、天板と地板に対して、上下方向に設けた軸を中心として、回転可能に連結した仏壇において、
前記天板又は／及び地板の開閉扉側の面に案内溝を形成し、開閉扉側の面と反対側面に操作溝を形成し、前記案内溝と前記操作溝を連通させ、
スライド部と雌ねじを備えた調整具を設け、
前記スライド部は、前記案内溝に対して、前記仏壇の前後、左右方向に移動調整でき、
前記操作溝からボルトを挿通し、ボルトの雄ねじを、前記調整具の雌ねじに螺合させ、
前記スライド部を、前記案内溝に対して、前記仏壇の前後、左右方向に移動調整することにより、前記開閉扉の上方又は／及び下方に設けた軸を、前記仏壇の前後、左右方向に移動調整できるようにしたことを特徴とする仏壇。
【発明の詳細な説明】
【技術分野】
【０００１】
本発明は、家具、及び、仏壇、さらに詳しくは、開閉扉を有する家具、及び、仏壇に関する。
【背景技術】
【０００２】
従来、開閉扉の一側の上下端に回転軸を突設し、上側の回転軸を天板に穿設した軸受穴に回転可能に嵌合し、下側の回転軸を地板に穿設した軸受穴に回転可能に嵌合して、開閉扉を、同一直線上に配置された両回転軸を中心として開閉するとともに、観音扉状に左右に一対開閉扉を設けた家具が知られている。
【発明の概要】
【発明が解決しようとする課題】
【０００３】
前記従来技術の家具の開閉扉においては、家具の製作過程や、家具を設置した場所の影響、家具の経年変化等により、左開閉扉における上下の回転軸を繋いだ線と、右開閉扉における上下の回転軸を繋いだ線とが平行に位置しないねじれの位置関係となると、左右の開閉扉を閉じた際に、左右の開閉扉の相互の対向面（扉の召し合わせ）間の隙間が、上下において相違し、見栄えが悪くなる。
【０００４】
しかし、上記召し合わせの問題点が生じた場合に、回転軸や軸受穴の位置を修正加工することは容易にできず、召し合わせの問題点を修理するのに手間がかかるという問題点があった。
【０００５】
そこで、本発明は、上記召し合わせの問題が生じた場合にも、容易に修正することができる家具、及び、仏壇を提供することを目的とするものである。
【課題を解決するための手段】
【０００６】
前記の課題を解決するために、請求項１記載の発明は、天板と地板を有し、これらの間に開閉扉を配置し、該開閉扉の一側端部における上下部は、天板と地板に対して、上下方向に設けた軸を中心として、回転可能に連結した家具において、
前記天板又は／及び地板の開閉扉側の面に案内溝を形成し、開閉扉側の面と反対側面に操作溝を形成し、前記案内溝と前記操作溝を連通させ、
スライド部と雌ねじを備えた調整具を設け、
前記スライド部は、前記案内溝に対して、前記家具の前後、左右方向に移動調整でき、
前記操作溝からボルトを挿通し、ボルトの雄ねじを、前記調整具の雌ねじに螺合させ、
前記スライド部を、前記案内溝に対して、前記家具の前後、左右方向に移動調整することにより、前記開閉扉の上方又は／及び下方に設けた軸を、前記家具の前後、左右方向に移動調整できるようにしたことを特徴とする家具である。
【０００７】
請求項２記載の発明は、天板と地板を有し、これらの間に開閉扉を配置し、該開閉扉の一側端部における上下部は、天板と地板に対して、上下方向に設けた軸を中心として、回転可能に連結した仏壇において、
前記天板又は／及び地板の開閉扉側の面に案内溝を形成し、開閉扉側の面と反対側面に操作溝を形成し、前記案内溝と前記操作溝を連通させ、
スライド部と雌ねじを備えた調整具を設け、
前記スライド部は、前記案内溝に対して、前記仏壇の前後、左右方向に移動調整でき、
前記操作溝からボルトを挿通し、ボルトの雄ねじを、前記調整具の雌ねじに螺合させ、
前記スライド部を、前記案内溝に対して、前記仏壇の前後、左右方向に移動調整することにより、前記開閉扉の上方又は／及び下方に設けた軸を、前記仏壇の前後、左右方向に移動調整できるようにしたことを特徴とする仏壇である。
【発明の効果】
【０００８】
本発明によれば、天板と地板を有し、これらの間に開閉扉を配置し、該開閉扉の一側端部における上下部は、天板と地板に対して、上下方向に設けた軸を中心として、回転可能に連結され、開閉扉の上方又は／及び下方に設けた軸を、その軸と直交する方向に移動調整できるようにしたことにより、例えば、一対の観音開き状の開閉扉において、召し合わせの隙間が上下において異なる場合には、少なくとも一方の開閉扉の上方又は／及び下方の軸を、直交する方向に移動調整して、容易に、召し合わせの隙間を上下において略同じに調整することができ、見栄えの向上を図ることができる。
【図面の簡単な説明】
【０００９】
【図１】本発明の実施例１を示す家具の正面図。
【図２】図１の斜視図。
【図３】図１の状態から開閉扉を半開きにした状態の斜視図。
【図４】開閉扉を全開にした状態の斜視図。
【図５】図４の後方から見た斜視図。
【図６】図１の横断面図。
【図７】図４の横断面図。
【図８】下側支持部の拡大縦断面図。
【図９】下側の支持部の分解斜視図。
【図１０】召し合わせの隙間が、上下において不揃いの状態を示す正面図。
【図１１】案内溝と調整具の関係を示す図。
【図１２】図１１の状態から調整具を移動した状態の図。
【図１３】本発明の実施例２係る下側の支持部を説明するための図。
【図１４】図１３の状態から調整具を移動した状態の図。
【発明を実施するための形態】
【００１０】
本発明は、開閉扉の一側端部における上下部を、天板と地板に対して、上下方向に設けた軸を中心として、回転可能に設けた家具であれば、仏壇、収納棚等の任意の家具に適用でき、本発明を仏壇に適用した図に示す実施例に基づいて説明を行う。
【００１１】
［実施例１］
図１は、開閉扉を閉じた状態の仏壇１の正面図、図２は、仏壇１の斜視図、図３は、開閉扉を開いた状態の仏壇１の斜視図である。以下において、仏壇１の左右方向、すなわち、開閉扉を閉じた状態における開閉扉の横方向をＸ方向とし、仏壇１の前後方向をＹ方向として説明する。
【００１２】
仏壇１は、天板２と地板３を有し、天板２と地板３間における横（左右）Ｘ方向の両側部には左右の側板４，４が設けられ、天板２と地板３間の後部には裏板５が設けられている。天板２、地板３、左右の側板４，４、裏板５により箱状の本体部１１が形成され、図３，図４に示すように、本体部１１の前面１１ａは開口し、内部には収納室１１ｂが形成されている。
【００１３】
左右の側板４，４は、図３〜図６に示すように、天板２及び地板３の左右両側面２ａ，３ａよりも内側に位置するように配置され、天板２及び地板３の両側部には、側板４の外面４ａよりも外側に突出する突出部２ｂ，３ｂが設けられている。天板２と地板３と側板４の外面４ａにより囲まれた、少なくとも横（左右）Ｘ方向の外側が開口する収納空間１２が形成され、収納空間１２内に、後述する折り畳んだ状態の開閉扉１０Ａ，１０Ｂを、図７に示すように、天板２と地板３の側面２ａ，３ａ及び後面よりも外側方向に突出しないように収納することができるようになっている。
【００１４】
また、天板２及び地板３の前方には、図３に示すように、本体部１１の前面１１ａよりも前側に突出する突出部２ｃ，３ｃが設けられている。  図３〜図６に示すように、左右の夫々の側板４，４の前端である前面４ｂよりも前方で、かつ、左右Ｘ方向の外側には支持部１３，１４が設けられている。すなわち、天板２における、その突出部２ｂと２ｃの交差部には、上側支持部１３が、地板３における、その突出部３ｂと３ｃの交差部には、下側支持部１４が設けられている。
【００１５】
本体部１１の前面１１ａの開口部には、一対の開閉扉１０Ａ，１０Ｂが、観音開き状に開閉可能に設けられている。一対の開閉扉１０Ａ，１０Ｂは、夫々、外側扉７と内側扉８をヒンジ９で折り畳み可能に連結するとともに、その外側扉７の外側端に柱６を立設固設して構成されている。
【００１６】
この開閉扉１０Ａ，１０Ｂを、夫々の外側である一側に設けた柱６，６を中心として閉じることにより、両内側扉８，８間に召し合わせ部Ｍが形成されるようになっている。
【００１７】
次に、上側支持部１３と下側支持部１４について詳述する。なお、左右の交差部に設けた上側支持部１３と１３，下側支持部１４と１４は同一の構造であるため、一方の開閉扉１０Ａ側について説明し、他方の開閉扉１０Ｂ側の説明を省略する。
【００１８】
天板２には、図１に示すように、天板２の下面側が開口する円筒状の上側軸穴２ｅが上下方向に穿設され、開閉扉１０Ａにおける柱６の上部には、上側軸穴２ｅに回転可能に嵌合する上側回転軸１９が、上面から上方に向かって突設されている。これらを嵌合することにより、上側回転軸１９（図１参照）を中心として開閉扉１０Ａが開閉するようになっている。なお、上側回転軸１９を天板２に設け、柱６に上側軸穴２ｅを設けるようにしてもよい。
【００１９】
上側軸穴２ｅと上側回転軸１９により、軸蝶番である上側支持部１３が構成されている。
【００２０】
柱６の下端部には、図８に示すように、柱６の下面側が開口する円筒状の穴２１が上下方向に穿設されている。この穴２１には、樹脂製の軸受２２が圧入され、軸受２２の中心部には、両端が開口する下側軸穴２０が形成されている。
【００２１】
地板３の上面側には、その上面が開口する有底状の案内溝３１が形成され、地板３の下側面には、その下面が開口する有底状の操作溝３２が形成され、案内溝３１と操作溝３２との間には、案内溝３１と操作溝３２を、夫々の中央部において連通する挿通穴３３が貫通形成されている。
【００２２】
案内溝３１は、図８〜図１４に示すように、その上面形状が長穴状に形成されているとともに、その長手方向が、開閉扉１０Ａが閉じた状態における開閉扉１０Ａの表面に沿った横方向、すなわち、仏壇１の横Ｘ方向となるように形成されている。
【００２３】
本実施例の案内溝３１は、横Ｘ方向に沿った直線状の壁面３１ａ，３１ａが対向する小判形状に形成されている。この案内溝３１内には、開閉扉１０Ａを回転可能に支持する調整具４０が配置されている。
【００２４】
操作溝３２は、挿通穴３３の内径より大きい内径を有し、かつ、底面視で円形状に形成されている。また、挿通穴３３は、その内径が、挿通穴３３内に挿通するボルト４７の直径より大きい円筒状に形成されている。
【００２５】
調整具４０は、図８〜図１４に示すように、その長手方向の長さが、案内溝３１の長手方向の長さより短く設定されて、案内溝３１に嵌合され、その長手方向に摺動できるスライド部４１と、その上面中央部において、上方へ突出して下側軸穴２０に回転可能に嵌合するピン（軸）４２が一体に形成されている。
【００２６】
スライド部４１は、図１１に示すように、案内溝３１の直線状の壁面３１ａ，３１ａに沿った直線状の側面４１ａ，４１ａを有し、かつ、図１２に示すように、壁面４１ａの長さＬ１が、案内溝３１の壁面３１ａの長さＬ２より短く設定された小判形に形成され、案内溝３１の長手方向に摺動できるように嵌合されている。
【００２７】
支持ピン４２は、円筒状に形成され、その内部に、ボルト４７の雄ねじ４８が螺合できる雌ねじ４４が刻設されている。
【００２８】
挿通穴３３には、操作溝３２側から、平ワッシャ４５及び緩み止めワッシャ４６を介して、ボルト４７が挿入され、ボルト４７の雄ねじ４８が支持ピン４２の雌ねじ４４に螺合している。このボルト４７を緩めることにより、スライド部４１とワッシャ４５が相互に離間し、案内溝３１内をスライド部４１が移動可能となり、ボルト４７を締めることにより、スライド部４１とワッシャ４５が相対的に引き寄せられて、スライド部４１の移動を阻止するようになっている。
【００２９】
上記構成により、開閉扉１０Ａの下端部は、ピン４２の回転軸芯を中心として、回動できるようになっている。
【００３０】
軸受２２，案内溝３１，操作溝３２，挿通穴３３，調整具４０，ボルト４７，
平ワッシャ４５，緩み止めワッシャ４６で下側支持部１４を構成している。また、軸受２２と、調整具４０の支軸ピン４２で軸蝶番５０を構成している。
【００３１】
なお、他方の開閉扉１０Ｂも、一方の開閉扉１０Ａの上側支持部１３と下側支持部１４と同様の構造を有する上側支持部１３と下側支持部１４を有するが、同様の構造のため、その説明を省略する。
【００３２】
次に、調整操作について説明する。
【００３３】
開閉扉１０Ａ，１０Ｂの組付け状態において、例えば、図１０に示すように、開閉扉１０Ａ，１０Ｂの上側軸穴１９の回転軸芯の下端と、下側のピン４２の回転軸芯の上端とを結んだ線が、正面からの平面視において、左右で非並行状態にある場合には、図１０に示すように、召し合わせＭの隙間Ｄが、その上下において不揃いになる。この場合には、開閉扉１０Ａ，１０Ｂの一方のボルト４７を緩めた後に、図１２に示すように、調整具４０をボルト４７とともに、案内溝３１内をＸ１方向に移動させ、召し合わせの隙間Ｄが上下においてほぼ同じになるように調節し、その調整後の状態を、ボルト４７を締め付けて固定することで、その状態を保持することができる。
【００３４】
これにより、開閉扉１０Ａ，１０Ｂの召し合わせの隙間Ｄを、上下においてほぼ同じにして、仏壇１の見栄えを向上させることができる。
【００３５】
ボルト４７を回転させる際には、スライド部４１の直線状の側面４１ａが、案内溝３１の直線状の壁面３１ａに係合して、スライド部４１がボルト４７と共回りすることを防止できるようになっている。
【００３６】
［実施例２］
上記実施例１においては、スライド部４１の直線状の側面４１ａ，４１ａを、案内溝３１の直線状の壁面３１ａ，３１ａに沿って形成したが、図１３，図１４に示すように、スライド部４１の直線状の側面４１ａ，４１ａと、案内溝３１の直線状の壁面３１ａ，３１ａの間に所定距離の隙間Ｅを形成して、スライド部４１を、案内溝３１の左右Ｘ方向以外にも、例えば、前後Ｙ方向にも移動できるようにしてもよい。
【００３７】
それ以外の構造は、前記実施例１と同様であるので説明を省略する。
【００３８】
本実施例２においても前記実施例１と同様の効果を奏する。
【００３９】
更に、本実施例２においては、開閉扉１０Ａの前面と、開閉扉１０Ｂの前面のズレも修正することができ、仏壇１の見栄えをより向上させることができる。
【００４０】
［実施例３］
上記実施例１においては、下側支持部１４において、開閉扉１０Ａ，１０Ｂの下側に設けた回転軸芯のみを移動できるようにしたが、上側支持部１３を上記実施例１の下側支持部１４と同様の構造とし、下側支持部１４を上記実施例１の上側支持部１３と同様の構造として、開閉扉１０Ａ，１０Ｂの上側に設けた回転軸芯のみを移動できるようにしてもよい。
【００４１】
また、上側支持部１３と下側支持部１４を、上記実施例１の下側支持部１４と同様の構造として、開閉扉１０Ａ，１０Ｂの上下に設けた回転軸芯で移動できるようにしてもよい。
【００４２】
それ以外の構造は、前記実施例１，２と同様であるので説明を省略する。
【００４３】
本実施例３においても前記実施例１，２と同様の効果を奏する。
【００４４】
［その他の実施例］
上記実施例１〜３においては、上側支持部１３と下側支持部１４により、開閉扉１０Ａ，１０Ｂを２７０°回動できるようにしたが、上側支持部１３と下側支持部１４を用いて、開閉扉１０Ａ，１０Ｂを開閉するようにすれば、側板４、上側支持部１３、下側支持部１４の相互の位置関係は任意に設定することができるとともに、開閉扉１０Ａ，１０Ｂの回転角度は任意に設定することができる。
【符号の説明】
【００４５】
１  仏壇
２  天板
３  地板
１０Ａ，１０Ｂ  開閉扉
１９  上側回転軸
４２  支持ピン
【図１】
0006769726.tif 000002
【図２】
0006769726.tif 000003
【図３】
0006769726.tif 000004
【図４】
0006769726.tif 000005
【図５】
0006769726.tif 000006
【図６】
0006769726.tif 000007
【図７】
0006769726.tif 000008
【図８】
0006769726.tif 000009
【図９】
0006769726.tif 000010
【図１０】
0006769726.tif 000011
【図１１】
0006769726.tif 000012
【図１２】
0006769726.tif 000013
【図１３】
0006769726.tif 000014
【図１４】
0006769726.tif 000015